(57)【要約】【課題】露出した足を不快な害虫、例えば蚊、ハエ、ハチ、カメムシ、ウンカ等の飛翔性害虫や、塵性ダニ、ゴキブリ、クモ、アリ等の匍匐性害虫等から守るための用具及び人体から不快な害虫を忌避させる方法を提供する。【解決手段】植物精油、ヒノキチオール等の天然防虫成分が足バンドの構成材料に含有されてなる害虫忌避足バンド及び、かかる害虫忌避足バンドをヒトの足に装着することを特徴とする人体から害虫を忌避させる方法。【選択図】　　なし【特許請求の範囲】
【請求項１】
天然防虫成分が足バンドの構成材料に含有されてなる害虫忌避足バンド。
【請求項２】
害虫が飛翔性害虫である請求項１に記載の害虫忌避足バンド。
【請求項３】
飛翔性害虫が蚊、ハエ、ハチ、カメムシまたはウンカである請求項２に記載の害虫忌避足バンド。
【請求項４】
害虫が匍匐性害虫である請求項１に記載の害虫忌避足バンド。
【請求項５】
匍匐性害虫が塵性ダニ、ゴキブリ、クモまたはアリである請求項４に記載の害虫忌避足バンド。
【請求項６】
天然防虫成分の蒸気圧が２０℃で１０ー５〜１０−１ｍｍＨｇである請求項１〜５のいずれかに記載の害虫忌避足バンド。
【請求項７】
天然防虫成分が植物精油である請求項１〜６のいずれかに記載の害虫忌避足バンド。
【請求項８】
植物製油が、ティ−トリ−油、パチョリ油、ペパーミント油、ハッカ油、ヒノキ油、ヒバ中性油、ヒバ酸性油、油パイン油、シソ油、イヌハッカ油、シダ−ウッド油、ラベンダー油、コリアンダー油、ユーカリ油、シトロネラ油、ライム油、レモングラス油、ネロリ油、ヒバ油、タイム油、ヒソップ油、ローズマリー油、ローズ油、イランイラン油、コショウ油、シナモン油、クスノキ油、ローレル油、カミツレ油、ヨモギ油、オリバヌム油、タラゴン油、べチバー油、クローブ油、ベイ油、ゼラニウム油、セージ油、バジル油、パセリ油、スターアニス油、フェンネル油、マヌカ油、ガルバナム油、グアイアックウッド油、センキュウ油、ディル油、バイオレット油、アンゲリカ油、ターメリック油、ショウガ油、アンブレット油及びウインターグリーン油から選ばれる少なくとも１種である請求項７に記載の害虫忌避足バンド。
【請求項９】
天然防虫成分が、ヒノキチオールである請求項１に記載の害虫忌避足バンド。
【請求項１０】
天然防虫成分が、４−ヒドロキシ−６−メチル−３−（４−メチル−２−ペンタノリル）−２−ピロンである請求項１に記載の防虫忌避用足バンド。
【請求項１１】
足バンドの構成材料が繊維または樹脂であり、天然防虫成分が構成材料に練り込まれてなる請求項１〜１０のいずれかに記載の害虫忌避足バンド。
【請求項１２】
天然防虫成分が足バンドの構成材料の表面に処理されてなる請求項１〜１０のいずれかに記載の害虫忌避足バンド。
【請求項１３】
請求項１〜１３のいずれかに記載の足バンドをヒトの足に装着することを特徴とする人体から害虫を忌避させる方法。
【発明の詳細な説明】
【０００１】
【発明の属する技術分野】
本発明は、害虫忌避足バンド及び害虫忌避方法に関する。
【０００２】
【従来の技術及び発明が解決しようとする課題】
近年、服飾志向の変化に伴い、野外での運動時のみならず日常的な生活においても足を露出する機会が増えてきている。とりわけ害虫の活動時期である春〜秋には足を露出する機会が多い。その結果、特に夏場や野外では、静止時あるいは休息時に、足の露出部分に不快な害虫が飛来・接近して不快感を催したり、あるいは接触、刺交等による被害を受けたりすることも多い。また、足を露出して室内で休息する場合は、ゴキブリやアリなどの匍匐性害虫が接近、接触することもあり、快適に休息することができない場合がある。このような不快な害虫の接近、接触を防ぐには、室内では蚊帳を吊るすとか、蚊取り線香などの殺虫剤を使用したり、室内を密閉する等の対策が必要となる。
【０００３】
本発明の課題は、露出した足を不快な害虫から守るための用具及び人体から不快な害虫を忌避させる方法を提供することにある。
【０００４】
【課題を解決するための手段】
本発明者らは鋭意検討した結果、天然防虫成分が処理された足バンドが前記を足に装着することで、前記課題が解決されることを見出し、本発明に至った。
即ち本発明は、天然防虫成分が足バンドの構成材料に含有されてなる害虫忌避足バンド（以下、本足バンドと記す。）及び本足バンドをヒトの足に装着させることを特徴とするヒトから害虫を忌避させる方法に関するものである。
【０００５】
【発明の実施の形態】
本発明に使用される天然防虫成分は、天然物由来で防虫効果があるものであれば特に制限なく使用可能であるが、揮散性を有するものが好ましく、その２０℃における蒸気圧が１０ー５〜１０−１ｍｍＨｇのものがより好ましい。
【０００６】
天然防虫成分としては、例えば植物精油が挙げられ、具体的にはティ−トリ−油、パチョリ油、ペパーミント油、ハッカ油、ヒノキ油、ヒバ中性油、ヒバ酸性油、油パイン油、シソ油、イヌハッカ油、シダ−ウッド油、ラベンダー油、コリアンダー油、ユーカリ油、シトロネラ油、ライム油、レモングラス油、ネロリ油、ヒバ油、タイム油、ヒソップ油、ローズマリー油、ローズ油、イランイラン油、コショウ油、シナモン油、クスノキ油、ローレル油、カミツレ油、ヨモギ油、オリバヌム油、タラゴン油、べチバー油、クローブ油、ベイ油、ゼラニウム油、セージ油、バジル油、パセリ油、スターアニス油、フェンネル油、マヌカ油、ガルバナム油、グアイアックウッド油、センキュウ油、ディル油、バイオレット油、アンゲリカ油、ターメリック油、ショウガ油、アンブレット油、ウインターグリーン油等を挙げることができる。また、ヒバ酸性油に含まれるヒノキチオールを挙げることもできる。中でもヒノキチオールが好ましい。
【０００７】
また、パチョリ油に存在する４−ヒドロキシ−６−メチル−３−（４−メチル−２−ペンタノリル）−２−ピロンは、特開２００２−１２５０６号公報に記載のように防虫性能が高く、その使用により高い不快害虫に対する忌避性能が期待されるので好ましく使用することができる。
これらは単独でまたは２種以上の混合物で使用することができる。
【０００８】
本発明における対象害虫としては例えば以下のものが挙げられる。
【０００９】
双翅目害虫
アカイエカ、コガタアカイエカ等のイエカ類、ネッタイシマカ、ヒトスジシマカ等のヤブカ類、シナハマダラカ等のハマダラカ類、ユスリカ類、イエバエ、オオイエバエ、ヒメイエバエ等のイエバエ類、クロバエ類、ニクバエ類、タネバエ、タマネギバエ等のハナバエ類、ミバエ類、ショウジョウバエ類、チョウバエ類、アブ類、ブユ類、サシバエ類、ヌカカ類等
網翅目害虫
【００１０】
チャバネゴキブリ、クロゴキブリ、ワモンゴキブリ、トビイロゴキブリ、コバネゴキブリ等
【００１１】
膜翅目害虫
アリ類、スズメバチ類、アリガタバチ類、カブラハバチ等のハバチ類等
【００１２】
隠翅目害虫
イヌノミ、ネコノミ、ヒトノミ等
【００１３】
シラミ目害虫
ヒトジラミ、ケジラミ、アタマジラミ、コロモジラミ等
【００１４】
等翅目害虫
ヤマトシロアリ、イエシロアリ等
【００１５】
室内塵性ダニ類
コナヒョウヒダニ、ヤケヒョウヒダニ等のヒョウヒダニ類、ケナガコナダニ、ムギコナダニ等のコナダニ類、チリニクダニ、イエニクダニ、サナアシニクダニ等のニクダニ類、クワガタツメダニ、フトツメダニ等のツメダニ類、ホコリダニ類、マルニクダニ類、イエササラダニ類、ナミハダニ、カンザワハダニ、ミカンハダニ、リンゴハダニ等のハダニ類、フタトゲチマダニ等のマダニ類。
【００１６】
半翅目害虫
ヒメトビウンカ、トビイロウンカ、セジロウンカ等のウンカ類、ツマグロヨコバイ、タイワンツマグロヨコバイ等のヨコバイ類、アブラムシ類、カメムシ類、コナジラミ類、カイガラムシ類、グンバイムシ類、キジラミ類等
【００１７】
鞘翅目害虫
ヒメカツオブシムシ、ヒメマルカツオブシムシ、ウエスタンコーンルートワーム、サザンコーンルートワーム等のコーンルートワーム類、ドウガネブイブイ、ヒメコガネ等のコガネムシ類、コクゾウムシ、イネミズゾウムシ、ワタミゾウムシ、アズキゾウムシ等のゾウムシ類、チャイロコメノゴミムシダマシ、コクヌストモドキ等のゴミムシダマシ類、イネドロオイムシ、キスジノミハムシ、ウリハムシ等のハムシ類、シバンムシ類、ニジュウヤホシテントウ等のエピラクナ属　（Ｅｐｉｌａｃｈｎａ　ｓｐｐ．）、ヒラタキクイムシ類、ナガシンクイムシ類、カミキリムシ類
【００１８】
本足バンドの構成材料としては、綿等の天然に存在する素材の他、レーヨン、ポリエステル等の合成繊維やポリウレタンのような合成樹脂を挙げることができる。
【００１９】
天然防虫成分を本足バンドの構成材料に含有させる方法としては、例えば本足バンドの構成材料である樹脂の成型時や繊維の紡糸時に天然防虫成分を添加し練りこむ方法の他、本足バンドの構成材料の成型後、前記部材の表面に塗工するなどの方法を挙げることができる。
【００２０】
天然防虫成分を前記樹脂や繊維へ添加する場合、前記樹脂や繊維の主成分と同じ成分に天然防虫成分を高濃度で混合した製剤（マスターバッチ）を作成し、該製剤を足バンドへの成型時、他の原料と混合する方法が一般的である。
【００２１】
本足バンドの構成材料の表面に天然防虫成分を塗工する方法としては、成形された足バンドの構成材料によく展着するように、展着剤とともに前記防虫成分を乳剤、フロワブル剤、油剤等の製剤としてから該構成材料に塗布、噴霧等の塗工処理を行うのが一般的である。
【００２２】
天然防虫成分の本足バンドの構成材料への添加量は、前記構成材料中に練りこむ場合は、通常０．００５〜１０重量％であり、好ましくは０．０５〜５重量％であり、足バンドの構成材料の表面に処理する場合は、通常０．００１〜５重量％、好ましくは０．０１〜１重量％である。
【００２３】
本足バンドには、吸湿性、抗菌性、マイナスイオン発生剤等の機能を持った材料が含有されていても良い。また、ピペロニルブトキサイドなどの共力剤を併用することもできる。
【００２４】
本足バンドの形状は、布を巻いたようなもの、網目状のもの、軟らかい板状のものまでを含み、厚みは薄手のものから足の太さくらいある太めのものまで適用可能である。本足バンドの巾は１ｃｍから５０ｃｍまで可能であるが、好ましくは２ｃｍから２５ｃｍである、本足バンドの長さは、足の周りを完全に１周せず部分的でもよいが、害虫忌避性能を考慮すると足周りを完全に１周できるものが好ましい。
【００２５】
本足バンドは通常足首の装着される、足首への装着は、長い足バンドを使用して結び目を作って固定したり、足バンドの上からゴムや紐を巻いて止めたり、またはルーズソックスの止めに使用される糊なども使用することができる。このように本足バンドをヒトの足に装着することにより効率的に人体から害虫を忌避させることができる。
【００２６】
【実施例】
次に、実施例で本発明を更に詳細に説明するが、本発明が実施例のみに限定されるものではない。
ヒノキチオール０．６ｇをエチルアルコール１０ｍＬに溶かした溶液を、長さ３０ｃｍ、巾１０ｃｍ、厚み０．５ｃｍ、重さ２０ｇのポリエステル製足バンドの表面に塗布し、エチルアルコールを蒸散させた。この足バンドを２ケ用意し、両足首に巻き、ゴムで足バンドが動かないように止めた。兵庫県西宮市の住宅地で２００１年８月の晴天の夜、半ズボンで膝から足先までを素足とし、窓を開放し、蚊帳を吊るし、素足部分を蚊帳から外に出して午後１１時に就寝した。朝６時まで足が害虫に刺されて目を覚めることなく熟睡できた。起床後、素足部分の害虫の刺交跡を証左したところ刺交跡は１箇所もなかった。
【００２７】
【発明の効果】
本発明によれば、露出した足を不快な害虫から守るための足バンド及び人体から不快な害虫を忌避させる方法を提供することが可能となる。